(57)【要約】【課題】  用紙を載置する透明な用紙載置台に載置された用紙を光学的に読み取り用紙と背景を判別することにより用紙サイズを検知する用紙サイズ検知装置において、用紙サイズの検知を正確に行える用紙サイズ検知装置及びその制御プログラムを提供する。【解決手段】  透明な用紙載置台に載置された用紙を光学的に読み取り、用紙と背景を判別することにより用紙サイズを検知する用紙サイズ検知装置において、用紙と背景を判別するための閾値を、所定の固定値とせず条件に応じて可変とする。【選択図】        図１
2005311590.tif 000002
【特許請求の範囲】
【請求項１】
透明な用紙載置台に載置された用紙を光学的に読み取り、用紙と背景を判別することにより用紙サイズを検知する用紙サイズ検知装置において、
用紙と背景を判別するための閾値を、所定の固定値とせず条件に応じて可変とした
ことを特徴とする用紙サイズ検知装置。
【請求項２】
用紙を載置する透明な用紙載置台と、一端がヒンジにより本体に結合され用紙載置台に対し該用紙載置台を開閉自在に覆う用紙押さえカバーと、前記用紙載置台に載置された用紙を光学的に読み取る読取り機構部を備え、前記読取り機構部による読み取りで用紙と背景を判別することにより用紙サイズを検知する用紙サイズ検知装置において、
前記用紙押さえカバーの閉動作を検出する検出手段を有し、
用紙と背景を判別するための閾値を設け、該閾値として、前記用紙押さえカバーが前記用紙載置台に対し所定角度以下となるのを検出した時点より所定時間経過した時点の、前記用紙押さえカバーの写り込みに応じた値を設定する
ことを特徴とする用紙サイズ検知装置。
【請求項３】
前記検出手段は、前記用紙押さえカバーの前記用紙載置台に対する角度を検出可能であり、
前記閾値として、前記所定時間経過した時点の、前記用紙押さえカバーの前記用紙載置台に対する角度であって、前記検出手段により検出された角度における前記用紙押さえカバーの写り込みに応じた値を設定する
ことを特徴とする請求項２に記載の用紙サイズ検知装置。
【請求項４】
前記写り込みに応じた値とは、写り込みに比例した値である
ことを特徴とする請求項２または請求項３に記載の用紙サイズ検知装置。
【請求項５】
用紙と背景を判別するために、前記用紙押さえカバーが写り込まない程度に開いている状態で画像を読み込むか、または前記用紙押さえカバーが前記用紙載置台に対し所定角度付近にある場合に光を照射せずに画像を読み込み場合には、予め設定された一定の閾値を用いる
ことを特徴とする請求項２から請求項４のいずれかに記載の用紙サイズ検知装置。
【請求項６】
前記用紙押さえカバーが中折れ式の場合、前記閾値として、中折れ位置の前後で異なる閾値を使用する
ことを特徴とする請求項２から請求項５のいずれかに記載の用紙サイズ検知装置。
【請求項７】
前記閾値は、用紙サイズ検出のため読み取る方向の各位置毎に設定可能である
ことを特徴とする請求項１から請求項６のいずれかに記載の用紙サイズ検知装置。
【請求項８】
用紙サイズ検出のため読み取る方向に複数の位置が指定され各位置での閾値が定められると、指定された位置間の閾値を補間し設定する
ことを特徴とする請求項１から請求項７のいずれかに記載の用紙サイズ検知装置。
【請求項９】
前記読取り機構部は、Ｒ，Ｇ，Ｂ等の色毎に読み取り可能であって、読み取った各色毎の検出値を総合して用紙と背景の判別を行う
ことを特徴とする請求項２から請求項８のいずれかに記載の用紙サイズ検知装置。
【請求項１０】
透明な用紙載置台に載置された用紙を光学的に読み取り、用紙と背景を判別することにより用紙サイズを検知する用紙サイズ検知装置を制御する制御装置に実行させるためのプログラムであって、
前記用紙サイズを検知する処理を、所定の固定値とせず条件に応じて可変とした閾値を用いて、用紙と背景を判別することにより行う
ことを特徴とする用紙読取装置の制御プログラム。
【発明の詳細な説明】
【技術分野】
【０００１】
本発明は、光学的読み取りによる用紙サイズの検知技術に関し、特には、原稿等の用紙サイズの検知を行う複写機、スキャナ、ファクシミリ等の画像形成装置に適用されるものである。
【背景技術】
【０００２】
従来は、特許文献１に記載のように、複写機やスキャナ等の原稿サイズ検知機能を有する装置においては、原稿を読み取る前に原稿サイズ検知を行っている。これは、原稿を、ランプや反射鏡並びにＣＣＤ等の撮像素子により構成される読取り機構部により光学的に読み取り、このとき原稿押さえカバーが半開き状態（原稿載置台であるコンタクトガラスに対し所定角度以下となっているが完全には閉じられていない状態）では原稿と背景で反射光の輝度が異なることから、これにより原稿と背景を判別し主走査方向の原稿幅を検知するものである。原稿と背景の判別は、予め定められる固定の閾値よりも大きいか小さいかにより白または黒と判定し、白と検出している部分の幅により主走査方向の原稿幅の検知を行っている。
【０００３】
また、特許文献２に記載の技術は、用紙押さえカバーであるプラテンカバーを閉じて、ランプから光を照射するときプラテンカバー上に原稿周辺の影が生じることから、光学センサーが検出出力する画像信号の変化率を検知して、この変化率の変化点の位置から原稿の幅および長さを検知するものであるが、さらに、この影の位置を検知するために用いる閾値を手動またはプラテンカバーの汚れに応じて自動的に高くすることにより、原稿の周辺領域で画像信号の変化率が大きくなっても原稿のかげの位置での変化率と区別できるようにしている。
【特許文献１】特許第３４５３１９７号公報
【特許文献２】特開平４−１８１２３５号
【発明の開示】
【発明が解決しようとする課題】
【０００４】
ところで、図７に示すように（なお、横軸は、主走査方向の距離、縦軸は、所定角度にある用紙押さえカバーからの反射光を受光した撮像素子の出力に基づく露光データ）、ランプから原稿側に向け照射される光は、光源であるランプからの距離が大きくなると減衰する。したがって、用紙サイズ検出時の、プラテンカバーや自動原稿給紙装置など用紙押さえカバーの角度や閉まる速度によって、プラテンカバーを本体に結合するヒンジ寄り部分（ランプに近い）とその反対側（ランプから遠い）とでは、写り込みの程度が異なってくる。また中折れ式のプラテンカバーであれば、中折れ部分前後でのプラテンカバーの写り込みが異なってくる（本体にプラテンカバーを結合するヒンジを奥側に設け、手前でプラテンカバーを開閉する構造のものでは、主走査方向に対し、中折れ部分の前後でプラテンカバーの写り込みが異なる）。
【０００５】
従来は、上記のように、白と判定する閾値を所定の固定値としているが、固定値であると、プラテンカバーの写り込みにより、正確な原稿サイズ（原稿幅）の検出を行うことができなかった。また、用紙押さえカバーの写り込みの影響を最も受ける最小サイズの原稿を基準とした閾値（通常大）を設定すると、大サイズで濃度の濃い原稿の場合や（用紙押さえカバーの開きが大きい部分ではその写り込みが少ないので、この場合では閾値が大きい値であると正常にサイズを検知できない）、プラテンカバーを早く閉じた場合に、正しく原稿サイズを検出できなかった。
【０００６】
また、特許文献２に記載の技術は、プラテンカバーを閉じた状態で、ランプから光を照射した際のプラテンカバー上に生じる原稿周辺の影を利用するものであるから、プラテンカバー上の原稿周辺部分に上記影と同程度の反射率をもつ汚れがある場合、原稿サイズの検出が困難となることが予想される。
【０００７】
本発明は、上記の点に鑑みてなされたもので、用紙を載置する透明な用紙載置台に載置された用紙を光学的に読み取り用紙と背景を判別することにより用紙サイズを検知する用紙サイズ検知装置において、用紙サイズの検知を正確に行える用紙サイズ検知装置及びその制御プログラムを提供するものである。
【課題を解決するための手段】
【０００８】
上記課題を解決するため、請求項１に記載の発明の用紙サイズ検知装置は、透明な用紙載置台に載置された用紙を光学的に読み取り、用紙と背景を判別することにより用紙サイズを検知する用紙サイズ検知装置において、用紙と背景を判別するための閾値を、所定の固定値とせず条件に応じて可変としたことを特徴としている。
【０００９】
また、請求項２に記載の発明の用紙サイズ検知装置は、用紙を載置する透明な用紙載置台と、一端がヒンジにより本体に結合され用紙載置台に対し該用紙載置台を開閉自在に覆う用紙押さえカバーと、前記用紙載置台に載置された用紙を光学的に読み取る読取り機構部を備え、前記読取り機構部による読み取りで用紙と背景を判別することにより用紙サイズを検知する用紙サイズ検知装置において、前記用紙押さえカバーの閉動作を検出する検出手段を有し、用紙と背景を判別するための閾値を設け、該閾値として、前記用紙押さえカバーが前記用紙載置台に対し所定角度以下となるのを検出した時点より所定時間経過した時点の、前記用紙押さえカバーの写り込みに応じた値を設定することを特徴としている。
【００１０】
また、請求項３に記載の発明の用紙サイズ検知装置は、請求項２に記載の用紙サイズ検知装置において、前記検出手段は、前記用紙押さえカバーの前記用紙載置台に対する角度を検出可能であり、前記閾値として、前記所定時間経過した時点の、前記用紙押さえカバーの前記用紙載置台に対する角度であって、前記検出手段により検出された角度における前記用紙押さえカバーの写り込みに応じた値を設定することを特徴としている。
【００１１】
また、請求項４に記載の発明は、請求項２または請求項３に記載の原稿サイズ検知装置において、前記写り込みに応じた値とは、写り込みに比例した値であることを特徴としている。
【００１２】
また、請求項５に記載の発明は、請求項２から請求項４のいずれかに記載の原稿サイズ検知装置において、用紙と背景を判別するために、前記用紙押さえカバーが写り込まない程度に開いている状態で画像を読み込むか、または前記用紙押さえカバーが前記用紙載置台に対し所定角度付近にある場合に光を照射せずに画像を読み込み場合には、予め設定された一定の閾値を用いることを特徴としている。
【００１３】
また、請求項６に記載の発明は、請求項２から請求項５のいずれかに記載の用紙サイズ検知装置において、前記用紙押さえカバーが中折れ式の場合、前記閾値として、中折れ位置の前後で異なる閾値を使用することを特徴としている。
【００１４】
また、請求項７に記載の発明は、請求項１から請求項６のいずれかに記載の用紙サイズ検知装置において、前記閾値は、用紙サイズ検出のため読み取る方向の各位置毎に設定可能であることを特徴としている。
【００１５】
また、請求項８に記載の発明は、請求項１から請求項７のいずれかに記載の用紙サイズ検知装置において、用紙サイズ検出のため読み取る方向に複数の位置が指定され各位置での閾値が定められると、指定された位置間の閾値を補間し設定することを特徴としている。
【００１６】
また、請求項９に記載の発明は、請求項２から請求項８のいずれかに記載の用紙サイズ検知装置において、前記読取り機構部は、Ｒ，Ｇ，Ｂ等の色毎に読み取り可能であって、読み取った各色毎の検出値を総合して用紙と背景の判別を行うことを特徴としている。
【００１７】
また、請求項１０に記載の発明は、透明な用紙載置台に載置された用紙を光学的に読み取り、用紙と背景を判別することにより用紙サイズを検知する用紙サイズ検知装置を制御する制御装置に実行させるためのプログラムであって、前記用紙サイズを検知する処理を、所定の固定値とせず条件に応じて可変とした閾値を用いて、用紙と背景を判別することにより行うことを特徴とする用紙読取装置の制御プログラムである。
【発明の効果】
【００１８】
請求項１に記載の発明によれば、用紙を載置する透明な用紙載置台に載置された用紙を光学的に読み取り用紙と背景を判別することにより用紙幅を検知する用紙サイズ検知装置において、用紙幅の検知を正確に行うことができる。
また、請求項２に記載の発明によれば、原稿押さえカバーの閉動作の検知とそこからの所定時間経過により用紙押さえカバーの位置（角度）を推定できるので、適切な閾値を採用することができ、用紙サイズ検知を正確に行うことができる。
【００１９】
また、請求項３に記載の発明によれば、用紙押さえカバーの角度を直接検知することにより、用紙押さえカバーの正確な位置を得ることができるので、適切な閾値を採用することができ、用紙サイズ検知をより正確に行うことができる。
また、請求項４に記載の発明によれば、実際の写り込みに応じた閾値を採用することができるので、より正確に用紙サイズの検知を行うことが可能となる。
また、請求項５に記載の発明によれば、可変の閾値を用いる必要がない場合に固定の閾値を用いることができるので、用紙サイズ検知処理の簡素化を図ることが可能となる。
【００２０】
また、請求項６に記載の発明によれば、中折れ前後の部分の位置に応じた閾値を採用することができるので、用紙サイズ検知をより正確に行うことが可能となる。
また、請求項７に記載の発明によれば、読み取る方向の位置に応じた閾値を採用することができるので、用紙サイズ検知をより正確に行うことが可能となる。
また、請求項８に記載の発明によれば、位置間の閾値を補間することにより、予め定めてなかった位置についての閾値を得ることができるので、用紙サイズ検知をより正確に行うことが可能となる。
【００２１】
また、請求項９に記載の発明によれば、カラー原稿等の用紙であっても適切な閾値を採用することができるので、用紙サイズ検知をより正確に行うことが可能となる。
また、請求項１０に記載の発明によれば、用紙を載置する透明な用紙載置台に載置された用紙を光学的に読み取り用紙と背景を判別することにより用紙幅を検知する用紙サイズ検知装置において、用紙幅の検知を正確に行うことができる。
【発明を実施するための最良の形態】
【００２２】
以下、本発明の実施の形態を、図面を参照して説明する。
なお、各図において共通する部分には、同一の符号を附している。
【００２３】
図１は、本発明の一実施の形態である用紙サイズ検知装置の電気的構成を示すブロック図である。
同図に示す符号１のＣＰＵは、本実施形態の用紙サイズ検知装置１０の各部を制御するための中央処理装置である。また、ＲＯＭ２には、ＣＰＵ１が実行する制御プログラムやや後述する用紙と背景を判別するための閾値など各種データが記録されている。また、ＲＡＭ３は、ＣＰＵ１のメインメモリとして機能する他、ＣＰＵ１による各種演算結果やその他のデータを一時記憶する記憶手段である。
【００２４】
ＣＰＵ１は、ＲＯＭ２に記録された制御プログラムをメインメモリとしてのＲＡＭ３へメモリにロードして実行することにより各部の制御を行う。以下、ＣＰＵ１、ＲＯＭ２、ＲＡＭ３の組を制御ユニット１１と称す。また、ここでは、ＲＯＭ２として、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）のような書き換え可能な不揮発性メモリを用い、ＲＯＭ２に設定される閾値等を変更可能とする。
【００２５】
ＬＡＭＰ４は、反射鏡と露光ランプからなり、用紙載置台に載置される用紙に向かって光を照射し、その反射光を反射鏡によりさらに反射させＣＣＤ５に受光させる。ＣＣＤ５は、ＬＡＭＰ４が照射した光が原稿やプラテンカバーによって反射された光を受光しこれを光電変換し、電気信号にして出力する。ＡＳＩＣ６は、ＣＣＤ５の出力信号を所定形式の画像データにするなどの画像処理を行う特定用途向け集積回路である。
【００２６】
また、符号７は、プラテンカバーが閉じられるのを検出するスイッチ（ＭＡＴ  ＳＷ；プラテンカバーが用紙載置台であるコンタクトガラスに対し所定の角度以下となったときＯＮとなる）または、コンタクトガラスに対するプラテンカバーの傾きの角度を検出する角度センサー（ＡＮＧＬＥ  ＳＥＮＳＯＲ）である。ＳＴＥＰ  ＭＯＴＯＲ８は、ＬＡＭＰ４を駆動するステッピングモーターであり、Ｄｒｉｖｅｒ９は、このＳＴＥＰ  ＭＯＴＯＲ８の駆動制御をするドライバ・デバイスである。
【００２７】
次に、用紙サイズ検知装置１０の機構構成について、図２に示す例を参照し説明する。
用紙サイズ検知装置１０本体の上面には、サイズ検知を行う用紙が載置されるコンタクトガラス４０が設けられており、さらにその上面を覆うように、プラテンカバー（図２にて図示せず、図３，４符号２０参照；以下プラテンカバー２０と称す）があり、その一端はヒンジにより本体側に結合され他端が開閉自在に設けられている。また、用紙サイズ検知装置１０本体の上面部分には、ユーザーによる操作入力を受け付ける操作表示部（図示せず）が設けられている。また、この本体内には、上記ＬＡＭＰ４、ＣＣＤ５、ＡＳＩＣ６、ＳＴＥＰ  ＭＯＴＯＲ８、Ｄｒｉｖｅｒ９および制御ユニット１１からなる読み取り機構部が設けられている。
【００２８】
この読み取り機構部は、図２に示すように構成される。コンタクトガラス４０上に載置された用紙３０に向け光を照射する露光ランプ４１、用紙３０およびプラテンカバー２０からの反射光をさらに反射する第１ミラー４２を備えた第１光学系走行体４３、第１ミラー４２によって反射された光を集光レンズ４７に導くための第２および第３ミラー４４、４５を備えた第２光学系走行体４６、集光レンズ４７によって得られた反射光を電気信号に変換するためのＣＣＤ５、ＣＣＤ５によって得られた画像情報等が入力される制御ユニット１１を備えている。
【００２９】
第１光学系走行体４３および第２光学系走行体４６は、用紙３０などの用紙全体をスキャンする際には、図１に示すＳＴＥＰ  ＭＯＴＯＲ８によって、同図に向かって左右方向（副走査方向）に往復動される。第２光学系走行体４６は、第１光学系走行体４３の速度の１／２の速度で、第１光学系走行体４３の移動距離の１／２の距離を移動する。第１光学系走行体４３は、待機時にはホームポジション５０に位置している。そして、用紙３０を読み取る場合には、ホームポジション５０にて、シェーディング白基準４８の画像を読み取りこれを白の基準レベルとして用紙３０の画像を読み取る。
【００３０】
また、用紙サイズ検出する際には、プラテンカバー２０が半開き状態で、第１光学走行体４３をホームポジション５０から用紙が載置される所定位置まで移動させ、その位置で用紙と背景を読み取る。読み取られた画像のレベルが設定されている閾値以上の部分を白、閾値未満を黒として、白と判定された部分が用紙であるものとして主走査方向の用紙サイズ（用紙幅）を決定する。
【００３１】
また、同図に示す長手サイズ検出センサー４９は、例えば、光学的読み取りにより検出された主走査方向のサイズがＡ４の長手方向のサイズを有する場合に、当該用紙がＡ３（Ａ４サイズの２倍）であるかＡ４であるかの判別をするためのものである。この例では、用紙が長手サイズ検出センサー４９にて検出される場合は、当該用紙はＡ３サイズであることが判別される。
【００３２】
制御ユニット１１には、ＣＣＤ５によって得られた画像情報の他、図示しない操作表示部からの信号等が入力される。制御ユニット１１は、前述のように用紙サイズ検知装置１０の各部の制御を行う他、本用紙サイズ検知装置１０が画像形成装置を構成する１ユニットである場合には、この画像形成装置の各部の制御をする。例えば、複写をする場合には、用紙サイズ検知装置１０により読み取られた用紙３０の画像から得られた画像情報に基づいて画像形成を行うための信号を生成し、画像形成処理を実行する画像形成部（図示せず）に供給する。
【００３３】
次に、このように構成された本実施形態の用紙サイズ検知装置１０の動作について説明する。
【００３４】
［実施例１］
この例では、用紙と背景を判別するための閾値が、背景として検出されるべきプラテンカバー２０の所定角度に対し、最適な判別が可能となるように検出する位置毎に異なるように設定されているものとする。ここで使用される閾値は可変（位置毎に設定可能）であり、当該用紙サイズ検知装置１０の使用環境に応じて最適となるように設定を変えることができる。この例の一連の動作は、例えば、図５のフローチャートに示すようになる。
【００３５】
はじめ、ユーザーによりプラテンカバー２０を閉じる操作がなされ、このプラテンカバー２０がＭＡＴ  ＳＷ７に接触し、ＭＡＴ  ＳＷ７がオンするまで、すなわち、ＭＡＴ  ＳＷ７が用紙押さえカバーの閉動作を検出するまで、ステップＳ０１にてＭＡＴ  ＳＷ７がオンしたか否かの判断を繰り返す。
【００３６】
ここで、ＭＡＴ  ＳＷ７がオンすると、計時を開始するとともに、ＬＡＭＰ４をホームポジションから用紙サイズを検出する位置まで移動させる（ステップＳ０２）。
次いで、ＭＡＴ  ＳＷ７による検出時（オン時）から所定時間が経過するまで、ステップＳ０３にて所定時間が経過したか否かの判断を繰り返す。
【００３７】
ここでの所定時間としては、ＬＡＭＰ４が、ホームポジションから用紙サイズを検出する位置まで移動し、画像読み込み可能な状態となるまでの時間が設定されている。そして、用紙と背景を判別するための閾値として、プラテンカバー２０が一般的な速度で閉じられるものとして、この所定時間経過後のプラテンカバー２０のコンタクトガラス４０に対する角度に対して最適な判別が行えるよう設定される。
【００３８】
ここで、所定時間が経過したとすると、ステップＳ０３でＹＥＳと判定され、ステップＳ０４へ移行する。
ステップ０４では、画像読み込みを行う。具体的には、サイズ検出位置にあるＬＡＭＰ４を発光させ、用紙およびプラテンカバー２０から反射される反射光を反射鏡を介してＣＣＤ５に受光させる。ＣＣＤ５が受光した反射光は、ＡＳＩＣ６により画像処理され、制御ユニット１１が用紙と背景からなる画像情報を読み込む。
【００３９】
次いで、制御ユニット１１は、読み込んだ画像情報から、ＲＯＭ２に設定されている閾値を用いて、閾値以上のレベルをもつ部分を白、他を黒として、白部分を用紙、黒部分を背景とする（ステップＳ０５）。
次いで、ステップＳ０５にて判別された白部分のサイズ（白部分の一端から他端までの主走査方向の長さ）、すなわち用紙のサイズ（用紙幅）を算出する（ステップＳ０６）。
【００４０】
［実施例２］
この例では、用紙と背景を判別するための閾値が、実施例１と同様に、用紙と背景の最適な判別が可能となるように、検出する位置毎に異なるように設定されるが、さらに、背景として検出されるべきプラテンカバー２０の角度（この角度は、ＡＮＧＬＥ  ＳＥＮＳＯＲ７により検出する）に応じて設定されているものとする。この例でも使用される閾値は可変（位置毎に設定可能）であり、当該用紙サイズ検知装置１０の使用環境に応じて最適となるように設定を変えることができる。この例の一連の動作は、例えば、図６のフローチャートに示すようになる。
【００４１】
本実施例が前述の実施例と異なる点は、本実施例が、画像読み込み時に、ＡＮＧＬＥ  ＳＥＮＳＯＲ７が検出するプラテンカバー２０のコンタクトガラス４０に対する角度を取得して、この角度における最適な閾値を用いて用紙サイズ検知処理（ステップＳ１５〜Ｓ１７；これは図５のステップＳ０４〜Ｓ０６に対応）を開始する点である。
なお、実施例１では、ＭＡＴ  ＳＷ７がオン状態となった時点から用紙サイズ検知のための動作を開始するが、本実施例では、ＡＮＧＬＥ  ＳＥＮＳＯＲ７が所定角度（Ａｎｇｌｅ１）を検出した時点から用紙サイズ検知のための動作を開始する。また、用紙サイズ検知処理については、前述の実施例１と同様であり、その説明は省略する。
【００４２】
前述の実施例１では、ユーザーによるプラテンカバー２０を閉じる速度の相違により、プラテンカバー２０のコンタクトガラス４０に対する実際の角度が所定の角度から大きくずれる場合があり、これにより前述した実施例１の閾値が必ずしも最適ではなくなる場合があるが、本実施例では、用紙サイズ検知のための画像読み込み時に、ＡＮＧＬＥ  ＳＥＮＳＯＲ７により検出されるプラテンカバー２０のコンタクトガラス４０に対する角度に対応する閾値を用いて用紙サイズ検知処理を実行するので、実施例１に比べ、ユーザーによるプラテンカバー２０を閉じる速度の相違による影響を抑えることができる。
【００４３】
なお、上記実施例１および実施例２で用いる閾値には、プラテンカバー２０の写り込みに応じた値（例えば、写り込みに比例した値）が設定される。プラテンカバー２０の写り込みは、本体に結合されるヒンジ寄りの方が顕著で、反対側では写り込みが少なくなるので、この閾値は、ヒンジ寄りの方が大きい値となる。
【００４４】
また、上記実施例１および実施例２では、プラテンカバー２０を所定の角度まで閉じた状態で用紙サイズ検知処理を行うものであるが、プラテンカバー２０をその写り込みがない程度に開いた状態で画像を読み込んだり、プラテンカバー２０を所定の角度まで閉じるがＬＡＭＰ４の発光をオフとした状態で画像読み込みを行う場合、例えば、本出願人による特開２００１−１４７４９４号公報に記載の技術のように、外部から入射される光（蛍光灯の光等）の影響を補正するため、用紙押さえカバーである原稿押さえが所定角度まで倒される直前付近において、露光ランプ４１がオフの状態で画像を読み込んだり、原稿押さえが開いておりかつ露光ランプ４１がオフまたはオンの状態で画像を読み込んだりさせる場合には、プラテンカバー２０の写り込みの影響がないため、予め設定された一定の閾値（主走査方向のどの位置でも同じ値）を用いる。
【００４５】
また、プラテンカバー２０が中折れ式の場合（図４参照）、中折れ位置の前後で異なる閾値を使用する。これは、ユーザーがプラテンカバー２０を閉じる際、中折れ位置から本体と結合するヒンジまでの部分の方が、先に所定角度となり、他の部分が遅れて閉じる動きをするので、中折れ位置の前後で背景となるプラテンカバー２０の角度が異なり、したがってその反射光の強度も異なるため、上記閾値を中折れ位置の前後で異なる値とする。
【００４６】
また、本実施の形態では、上記閾値は可変であり位置毎に設定可能としているが、用紙幅検出のため読み取る方向に複数の位置が指定され各位置での閾値が定められると、指定された位置間の閾値を補間し設定する。補間の方法としては、例えば線形補間などが挙げられる。
また、読取り機構部が、Ｒ，Ｇ，Ｂ等の色毎に読み取り可能に構成される場合は、読み取った各色毎の検出値を総合して（例えば、３色のレベルの最大値あるいは合計値を判別に利用するなどして）用紙と背景の判別を行う。
【００４７】
以上に説明したように、本実施の形態では、用紙サイズ検知のために、用紙と背景を判別するための閾値を上記のように設定するが、用紙サイズを検知する場合に用紙押さえカバーの角度より、その写り込み量がわかるので、写り込みの影響を受け難い閾値を選択することができ、プラテンカバー２０や自動原稿給紙装置等の用紙押さえカバーの、用紙サイズ検知時における写り込みの影響を改善することができる。
【００４８】
また、閾値として、用紙押さえカバーの写り込みに応じた（比例する）値を設定するので、用紙が小サイズの原稿であっても、この原稿が白色に近いものであれば、用紙押さえカバーの閉じる速度が速くても（この場合、用紙押さえカバーの写り込みが顕著となるが）、正しく原稿サイズ検知が可能となり、より精度の高い検知が行える。また、中折れ式の用紙押さえカバーの場合も同様に可能となる。
また、用紙押さえカバーを本体に結合するヒンジ側とは反対側の閾値を小さい値とすることで、大サイズで比較的濃度の濃い原稿であっても正しく検知することが可能となる。
【００４９】
また、本発明は、実施例１，２にて説明した制御をＣＰＵ１に実行させるプログラムとして提供することができる。また、このプログラムは、用紙サイズ検知装置にすでに記録されているプログラムとの組み合わせで実現できるもの、いわゆる差分ファイル（差分プログラム）として提供することができる。
【００５０】
以上、この発明の実施形態を、図面を参照して詳述してきたが、具体的な構成はこの実施形態に限られるものではなく、この発明の要旨を逸脱しない範囲の構成等も含まれることは言うまでもない。
【図面の簡単な説明】
【００５１】
【図１】本発明の一実施の形態である用紙サイズ検知装置の電気的構成を示すブロック図である。
【図２】同実施の形態の用紙サイズ検知装置の機構構成（本体側）の一例を示す図（正面図）である。
【図３】同実施の形態の用紙サイズ検知装置の外観図（右側面図）である。
【図４】同実施の形態の用紙サイズ検知装置（中折れ式プラテンカバーの場合）の外観図（右側面図）である。
【図５】同実施の形態の動作例を示すフローチャート（実施例１）である。
【図６】同実施の形態の動作例を示すフローチャート（実施例２）である。
【図７】主走査方向の写り込みの程度を示すグラフである。
【符号の説明】
【００５２】
１…ＣＰＵ
２…ＲＯＭ
３…ＲＡＭ
４…ＬＡＭＰ
５…ＣＣＤ
６…ＡＳＩＣ
７…ＭＡＴ  ＳＷ／ＡＮＧＬＥ  ＳＥＮＳＯＲ
８…ＳＴＥＰ  ＭＯＴＯＲ
９…Ｄｒｉｖｅｒ
１０…用紙サイズ検知装置
１１…制御ユニット
２０…プラテンカバー（用紙押さえカバー）
３０…用紙
４０…コンタクトガラス（用紙載置台）
４１…露光ランプ
４２…第１ミラー
４３…第１光学系走行体
４４…第２ミラー
４５…第３ミラー
４６…第２光学系走行体
４７…集光レンズ
４８…シェーディング白基準
４９…長手サイズ検出センサー
【図１】
2005311590.tif 000003
【図２】
2005311590.tif 000004
【図３】
2005311590.tif 000005
【図４】
2005311590.tif 000006
【図５】
2005311590.tif 000007
【図６】
2005311590.tif 000008
【図７】
2005311590.tif 000009